(57)【要約】【課題】原稿サイズが正しく検知されていないことを推定し、ユーザに適確なサイズ設定を促すようにすることで、無駄のない効率的な画像読取処理を実行する。【解決手段】原稿処理装置は、原稿のサイズを自動検知し、その原稿サイズに従って原稿の画像を読み取る画像読取部を有している。ここで画像処理装置は、原稿サイズが正しく検知されていないことを推定し、その場合に原稿サイズを設定するための原稿サイズ設定用画面５００を表示する。設定画面５００により、ユーザは“Ａ５”や“Ｂ５Ｒ”等の使用する原稿サイズキー５０２を指定することができ、正しく原稿サイズを設定することができる。また、ＡＢキー５０３とＩＮＣＨキー５０４により、ＩＮＣＨ系の設定とＡＢ系の設定とを相互に変更することができ、ＩＮＣＨ系／ＡＢ系の設定が間違っていれば簡単に修正することができる。原稿サイズは直接に入力することもできる。【選択図】図２３
2012222764.tif 000002
【特許請求の範囲】
【請求項１】
原稿のサイズを自動検知する原稿サイズ検知部と、該原稿サイズ検知部が検知した原稿サイズに従って原稿の画像を読み取る画像読取部と、該画像読取部が読み取った原稿の画像データを出力する出力部とを有する画像処理装置であって、
前記原稿サイズ検知手段が原稿サイズを正しく検知していないことを推定する原稿検知状態推定部と、
該原稿検知状態推定部が、原稿サイズを正しく検知していないと推定した際に、原稿サイズを設定するための原稿サイズ設定用画面を表示する表示部とを有することを特徴とする画像処理装置。
【請求項２】
請求項１に記載の画像処理装置において、
前記原稿検知状態推定部は、前記原稿サイズ検知部が原稿のサイズを自動検知しているときに、前記画像処理装置に対して所定の操作が行われた場合に、前記原稿サイズを正しく検知していないと推定することを特徴とする画像処理装置。
【請求項３】
請求項１に記載の画像処理装置において、
前記原稿検知状態推定部は、前記原稿サイズ検知部が原稿のサイズを自動検知しているときに、前記原稿のサイズの検知結果が所定時間内に所定回数変動するときに、前記原稿サイズを正しく検知していないと推定することを特徴とする画像処理装置。
【請求項４】
請求項１〜３のいずれか１に記載の画像処理装置において、
原稿を自動搬送して前記画像読取部に搬送する自動原稿送り装置を有し、
前記サイズ検知部は、前記自動原稿送り装置が備える原稿セット台に設けられた原稿ガイドの設定位置と原稿検知センサの検知結果に基づいて、原稿サイズを検知することを特徴とする画像処理装置。
【請求項５】
請求項１〜３のいずれか１に記載の画像処理装置において、
原稿を載置する原稿載置台を有し、前記画像読取部は、前記原稿載置台に載置された原稿を走査して原稿の画像を読み取る動作を行い、
前記原稿サイズ検知部は、前記原稿載置台に載置された原稿を検知する複数の原稿検知センサの検知結果に基づいて、原稿サイズを検知することを特徴とする画像処理装置。
【請求項６】
請求項１〜５のいずれか１に記載の画像処理装置において、
前記原稿サイズ検知部は、予め定められた複数の原稿サイズのいずれかから選択した稿原稿サイズを検知結果として出力し、
前記原稿サイズ検知部は、前記予め定められた原稿サイズとして、原稿サイズが主にインチで規定されるＩＮＣＨ系と、原稿サイズが主にＡサイズもしくはＢサイズで規定されるＡＢ系とのいずれかに切り換え可能に設定され、前記ＩＮＣＨ系またはＡＢ系のいずれかを用いて原稿サイズを検知することを特徴とする画像処理装置。
【請求項７】
請求項１〜６のいずれか１に記載の画像処理装置において、
前記原稿サイズ設定用画面の表示に対する操作入力が可能な操作部を有し、
該操作部は、原稿サイズの設定画面に対して原稿サイズの入力が可能であることを特徴とする画像処理装置。
【請求項８】
請求項１〜７のいずれか１に記載の画像処理装置を備えた画像形成装置。
【請求項９】
原稿の画像を読み取って画像データを出力する画像処理装置により実行される画像処理方法であって、該画像処理装置が、
原稿のサイズを自動検知する原稿サイズ検知ステップと、
前記原稿サイズ検知ステップが原稿サイズを正しく検知していないことを推定する原稿検知状態推定ステップと、
該原稿検知状態推定ステップで、原稿サイズを正しく検知していないと推定した際に、原稿サイズを設定するための原稿サイズ設定用画面を表示する表示ステップとを有することを特徴とする画像処理方法。
【発明の詳細な説明】
【技術分野】
【０００１】
本発明は、画像処理装置、画像形成装置、及び画像処理方法に関し、より詳細には、原稿のサイズを自動検知して原稿の画像を読み取る画像読取部を備えた画像処理装置と、該像処理装置を備えた画像形成装置と、原稿サイズの自動検知を行って画像を読み取る処理を行う画像処理方法とに関する。
【背景技術】
【０００２】
スキャナ部によって原稿の画像を読み取って、画像データとしてプリンタやコンピュータ等の機器に出力可能な画像処理装置が普及している。画像処理装置は、記録媒体に画像データを画像形成（印刷）する画像形成装置として構成できる。このような画像形成装置は、例えば、スキャナとして構成されたり、あるいはコピー機能を有するデジタル複写機や、コピー、プリンタ、ファクシミリ、データファイリングなどの複数の機能を合わせもった複合機（ＭＦＰ）として構成されたものがある。
【０００３】
画像処理装置のスキャナ機能を用いて原稿画像を読み取る場合、ユーザは、例えば、画像処理装置のカバーを開けて原稿載置台（プラテンガラス）のガラス面の上に原稿を載置して原稿画像の読み取りを行うか、もしくは、自動原稿送り装置を使用して原稿画像の読み取りを行う。
【０００４】
この場合、記録紙のサイズやコピー倍率などの特別の指定がない限り、画像処理装置では、原稿載置台に載置された原稿、もしくは自動原稿送り装置で送られる原稿のサイズを検知する。例えば、デジタル複写機や複合機では、画像処理装置が検知した大きさにあったサイズの記録紙を自動的にトレイから搬送して画像形成する動作を行うことができる。
【０００５】
画像処理装置における原稿のサイズの決定は、例えば、ＩＮＣＨ／ＡＢ設定とセンサの検出結果、及び自動原稿送り装置の原稿ガイド幅等により行っている。ＩＮＣＨ／ＡＢ設定は、原稿の縦横のサイズを予め定めたＩＮＣＨ（インチ）による長さで規定しておき、所定の複数のサイズのいずれに該当するかをセンサによる原稿の検出結果に基づいて判定するものである。例えばＩＮＣＨ系では、１１×１７インチ、８.５×１４インチ、８.５×１１インチなどのインチベースの用紙サイズが予め定められ、センサの検出結果に基づいて原稿サイズがこれらのいずれのサイズに該当しているかを判定するようにしている。
【０００６】
また、ＡＢ系では、ＡＢ規格紙に基づくサイズを判定するもので、Ａ４，Ａ３，Ｂ４，Ｂ５などのサイズが定めてられている。デジタル複合機では、センサの検出結果に基づいて、原稿サイズがこれらＡＢ系のいずれのサイズに該当しているかを判定する。
ＩＮＣＨ系及びＡＢ系は、主にデジタル複写機の仕向地（使用される国や地域）に応じて設定されるものであるが、画像処理装置自体では、ＩＮＣＨ系およびＡＢ系のいずれも設定できるようになっている。
【０００７】
原稿載置台には、複数の光学センサが所定位置に配置されていて、これらの光学センサによる原稿の検知結果（ＯＮ／ＯＦＦ）の組み合わせによって原稿のサイズを判定する。また、自動原稿送り装置の場合には、原稿トレイに備えられている原稿ガイドの設定幅（主走査方向）と、原稿送り方向（副走査方向）に複数設けられている複数のセンサの検出結果（ＯＮ／ＯＦＦ）とに従って、原稿のサイズを判定するようにしている。
ＡＢ系とＩＮＣＨ系の判定は、通常、画像処理装置の記録紙のサイズ設定によって、いずれかの系が設定されている。例えば画像処理装置にＡＢ系が設定されていれば、原稿のサイズをＡＢ系のいずれかに該当するものとして判定する。ＡＢ系とＩＮＣＨ系との切り換えは、ユーザ操作によって可能となっている。
【０００８】
例えば特許文献１には、原稿の寸法単位がセンチメートルとインチのいずれであっても、サイズの判明していない原稿のサイズを検知して、その原稿サイズをユーザ登録して的確なプリント等を可能にするための画像形成装置が開示されている。
この画像形成装置は、原稿載置台上の原稿サイズを検知し、検知した原稿サイズと同一または近似するサイズの定形サイズを一覧表示し、その一覧表示画面から選択された原稿サイズをサイズ登録する。
【先行技術文献】
【特許文献】
【０００９】
【特許文献１】特開２００３−１６７４８２号公報
【発明の概要】
【発明が解決しようとする課題】
【００１０】
上記のように、画像処理装置における自動原稿送り装置や原稿載置台にセットされた原稿サイズは、センサによる原稿の検知結果や、原稿幅を決める原稿ガイドの設定に応じて判断されるようになっている。
しかしながら、ＩＮＣＨ系／ＡＢ系の設定が誤っていたり、ＩＮＣＨ系もしくはＡＢ系にて規定されていない不定形サイズの原稿であった場合に、原稿サイズの検知が正しく行われない場合があり、そのままスキャナ部による原稿画像の読み取りを継続すると、プリンタ等で得られた画像が欠けてしまう場合があり、トナーや用紙の無駄が生じてしまう。
【００１１】
図２７は、ＩＮＣＨ系とＡＢ系の設定が誤っていたときの原稿読み取りの一例を説明する図である。例えば、画像処理装置の原稿判定がＡＢ系に設定されているときに、レターサイズ（８.５×１１インチ）の原稿をスキャナ部により読み取ったものとする。この場合、レターサイズの原稿を正しく検知するためには、画像処理装置がＩＮＣＨ系に設定されている必要がある。しかしながら、画像処理装置がＡＢ系に設定されている場合、センサや原稿ガイドの検出結果から、ＡＢ系のいずれかのサイズであるものと判定される。例えば、レターサイズの原稿の場合には、Ａ４サイズであるものと判定される。
【００１２】
つまり、図２７（Ａ）に示すようなレターサイズの原稿Ｄをスキャナ部で読み取った場合、ＡＢ系設定の画像処理装置ではこれをＡ４サイズと判定するため、図２７（Ｂ）に示すように、スキャンの範囲７０１もＡ４サイズとなる。これにより、図２７（Ｃ）に示すように、スキャンされた範囲をプリンタ等で印刷すると、本来のレターサイズの原稿Ｄに欠けた部分７０３が生じたり、画像のない領域７０２が生じたりする。つまり、ＩＮＣＨ系とＡＢ系が正しく設定されていなければ、読み取った原稿のサイズを正しく検出することができず、画像形成（印刷）を行ってもユーザ所望の印刷を行うことができない、という問題が生じる。
【００１３】
図２８は、不定形の原稿を読み取ったときの読み取りの一例を説明する図である。
例えば、図２８（Ａ）に示すような原稿であって、ＩＮＣＨ系とＡＢ系のいずれにも設定されていない不定形のサイズの原稿をスキャナ部で読み取ったものとする。この場合、例えば、この不定形原稿ＤがＢ４、もしくは８.５×１４インチで全てを読み取ることができる場合に、センサや原稿幅の検知結果からＢ５Ｒ（Ｂ５サイズの原稿の横置き）、もしくは８.５×１１Ｒ（レターサイズの横置き）であると判定されたものとする。
【００１４】
つまり、図２８（Ａ）に示すような不定形サイズの原稿Ｄをスキャナ部で読み取った場合、図２８（Ｂ）に示すように、スキャンの範囲７０１は、８.５×１１ＲもしくはＢ５Ｒとなる。これにより、図２８（Ｃ）に示すように、スキャンされた範囲をプリンタ等で印刷すると、本来の原稿画像に欠けた部分７０３が生じたり、画像のない領域７０２が生じたりする。つまり、不定形サイズの原稿の場合、センサや原稿ガイドによる原稿サイズを正しく検出することができないと、画像形成（印刷）を行ってもユーザ所望の印刷を行うことができない、という問題が生じる。
【００１５】
本発明は、上述のごとき実情に鑑みてなされたもので、原稿検出の設定が間違っていたり、不定原稿を読み取ったりする際に、原稿サイズが正しく検知されていないことを推定し、ユーザに適確なサイズ設定を促すようにすることで、無駄のない効率的な画像読取処理を実行できるようにした画像処理装置、画像形成装置、および画像処理方法を提供することを目的とする。
【課題を解決するための手段】
【００１６】
上記課題を解決するために、本発明の第１の技術手段は、原稿のサイズを自動検知する原稿サイズ検知部と、該原稿サイズ検知部が検知した原稿サイズに従って原稿の画像を読み取る画像読取部と、該画像読取部が読み取った原稿の画像データを出力する出力部とを有する画像処理装置であって、前記原稿サイズ検知手段が原稿サイズを正しく検知していないことを推定する原稿検知状態推定部と、該原稿検知状態推定部が、原稿サイズを正しく検知していないと推定した際に、原稿サイズを設定するための原稿サイズ設定用画面を表示する表示部とを有することを特徴としたものである。
【００１７】
第２の技術手段は、第１の技術手段において、前記原稿検知状態推定部が、前記原稿サイズ検知部が原稿のサイズを自動検知しているときに、前記画像処理装置に対して所定の操作が行われた場合に、前記原稿サイズを正しく検知していないと推定することを特徴としたものである。
【００１８】
第３の技術手段は、第１の技術手段において、前記原稿検知状態推定部が、前記原稿サイズ検知部が原稿のサイズを自動検知しているときに、前記原稿のサイズの検知結果が所定時間内に所定回数変動するときに、前記原稿サイズを正しく検知していないと推定することを特徴としたものである。
【００１９】
第４の技術手段は、第１〜第３のいずれか１の技術手段において、原稿を自動搬送して前記画像読取部に搬送する自動原稿送り装置を有し、前記サイズ検知部は、前記自動原稿送り装置が備える原稿セット台に設けられた原稿ガイドの設定位置と原稿検知センサの検知結果に基づいて、原稿サイズを検知することを特徴としたものである。
【００２０】
第５の技術手段は、第１〜第３のいずれか１の技術手段において、原稿を載置する原稿載置台を有し、前記画像読取部は、前記原稿載置台に載置された原稿を走査して原稿の画像を読み取る動作を行い、前記原稿サイズ検知部は、前記原稿載置台に載置された原稿を検知する複数の原稿検知センサの検知結果に基づいて、原稿サイズを検知することを特徴としたものである。
【００２１】
第６の技術手段は、第１〜第５のいずれか１に記載の技術手段において、前記原稿サイズ検知部は、予め定められた複数の原稿サイズのいずれかから選択した稿原稿サイズを検知結果として出力し、前記原稿サイズ検知部は、前記予め定められた原稿サイズとして、原稿サイズが主にインチで規定されるＩＮＣＨ系と、原稿サイズが主にＡサイズもしくはＢサイズで規定されるＡＢ系とのいずれかに切り換え可能に設定され、前記ＩＮＣＨ系またはＡＢ系のいずれかを用いて原稿サイズを検知することを特徴としたものである。
【００２２】
第７の技術手段は、第１〜第６のいずれか１の技術手段において、前記原稿サイズ設定用画面の表示に対する操作入力が可能な操作部を有し、該操作部は、原稿サイズの設定画面に対して原稿サイズの入力が可能であることを特徴としたものである。
【００２３】
第８の技術手段は、第１〜第７のいずれか１の技術手段の画像処理装置を備えた画像形成装置である。
【００２４】
第９の技術手段は、原稿の画像を読み取って画像データを出力する画像処理装置により実行される画像処理方法であって、該画像処理装置が、原稿のサイズを自動検知する原稿サイズ検知ステップと、前記原稿サイズ検知ステップが原稿サイズを正しく検知していないことを推定する原稿検知状態推定ステップと、該原稿検知状態推定ステップで、原稿サイズを正しく検知していないと推定した際に、原稿サイズを設定するための原稿サイズ設定用画面を表示する表示ステップとを有することを特徴としたものである。
【発明の効果】
【００２５】
本発明によれば、原稿検出の設定が間違っていたり、不定原稿を読み取ったりする際に、原稿サイズが正しく検知されていないことを推定し、ユーザに適確なサイズ設定を促すようにすることで、無駄のない効率的な画像読取処理を実行できるようにした画像処理装置、画像形成装置、および画像処理方法を提供することができる。
【図面の簡単な説明】
【００２６】
【図１】本発明に係る画像処理装置の構成例を示すブロック図である。
【図２】本発明に係る画像処理装置の自動原稿送り装置と原稿載置台について説明する図である。
【図３】画像処理装置に対する操作入力を行うための操作パネルの構成例を示す図である。
【図４】自動原稿送り装置に原稿をセットした状態、および原稿載置台に載置した原稿の状態を示す図である。
【図５】本発明に係る画像処理装置における操作画面の一例を示す図である。
【図６】本発明に係る画像処理装置における操作画面の他の例を示す図である。
【図７】原稿サイズを判定するためのテーブルの設定例を示す図である。
【図８】図７のテーブルで判定される原稿サイズを説明する図である。
【図９】原稿サイズを判定するためのテーブルの他の設定例を示す図で、
【図１０】図９のテーブルで判定される原稿サイズを説明する図である。
【図１１】原稿サイズを判定するためのテーブルの更に他の設定例を示す図である。
【図１２】原稿サイズを判定するためのテーブルの更に他の設定例を示す図である。
【図１３】画像処理装置に原稿をセットしたときに、異なる原稿サイズの検知結果が表示されたときの動作の一例を説明する図である。
【図１４】画像処理装置に原稿をセットしたときに、異なる原稿サイズの検知結果が表示されたときの動作の他の例を説明する図である。
【図１５】画像処理装置に原稿をセットしたときに、異なる原稿サイズの検知結果が表示されたときの動作の更に他の例を説明する図である。
【図１６】画像処理装置に原稿をセットしたときに、異なる原稿サイズの検知結果が表示されたときの動作の更に他の例を説明する図である。
【図１７】不定形サイズの原稿で検出結果にふらつきを生じる場合の動作を説明する図である。
【図１８】不定形サイズの原稿で検出結果にふらつきを生じる場合の他の動作を説明する図である。
【図１９】原稿のカールや折れにより原稿サイズの検出結果にふらつきが生じる場合の動作を説明する図である。
【図２０】不定形サイズの原稿で検出結果にふらつきを生じる場合の動作を説明する図である。
【図２１】不定形サイズの原稿で検出結果にふらつきを生じる場合の動作を説明する図である。
【図２２】原稿のカールや折れにより原稿サイズの検出結果にふらつきが生じる場合の動作を説明する図である。
【図２３】原稿サイズの検知結果が間違っている場合に所定のユーザ操作が実行されたとき、もしくは原稿サイズの検出結果が所定条件下でふらついたときに表示する原稿サイズ設定画面の一例を示す図である。
【図２４】図２３の原稿サイズの設定画面から移行したサイズ入力画面を示す図である。
【図２５】画像処理装置の仕向地設定が、用紙トレイと原稿セット台／自動原稿送り装置とで異なる場合の仕向地設定変更画面例を示す図である。
【図２６】画像処理装置で検知した原稿サイズが用紙トレイに存在しない場合の画面例を示す図である。
【図２７】ＩＮＣＨ系とＡＢ系の設定が誤っていたときの原稿読み取りの一例を説明する図である。
【図２８】不定形の原稿を読み取ったときの読み取りの一例を説明する図である。
【発明を実施するための形態】
【００２７】
図１は、本発明に係る画像処理装置の構成例を示すブロック図である。画像処理装置１００は、メニューや設定画面等を表示する表示部１ａ、及びユーザによる操作入力を受け付ける操作部１ｂからなる操作パネル部１を有している。操作パネル部１は、タッチパネルとして構成することができる。また、操作部１ｂは、タッチパネルとは別にキー操作部を備えることができる。
【００２８】
さらに画像処理装置１００は、ＣＣＤ２ａにより原稿画像を読み取るスキャナ部２と、スキャナ部２で読み取った原稿の画像データに画像処理を施す画像処理部３と、画像処理された画像データを記憶する記憶部４と、スキャナ部２の原稿セット台に載置された原稿もしくは自動原稿送り装置のトレイに置かれた原稿のサイズを判定するための光学センサ部５とを備えている。さらに、画像処理装置１００は、原稿セット台に載置された原稿に対してレーザを走査しながら副走査方向に移動するプラテン原稿走査部を駆動する駆動モータ７と、その駆動モータ７を制御するドライバ６、及び自動原稿送り装置による原稿搬送ローラを駆動する駆動モータ９と、その駆動モータ９を制御するドライバ８、及び装置全体を制御する制御部１０を備えている。制御部１０は、ＣＰＵ１０ａ、ＲＯＭ１０ｂ、ＲＡＭ１０ｃ、Ｉ／Ｏ（入出力部）１０ｄを有する。
【００２９】
画像処理装置１００は、コンピュータやプリンタなどの外部機器２００と接続可能である。例えば、スキャナ部２で読み取った原稿の画像データを外部機器２００の一つであるプリンタに送信しプリントを行わせたり、コンピュータに送信して画像処理等を実行することができる。ここでは画像データバス１２は、画像処理部３と外部機器２００とを接続し、通信ライン（制御信号等の通信）１１は、制御部１０と外部機器２００とを接続している。
【００３０】
原稿サイズ検知部は、光学センサ部５の検知結果に基づいて原稿サイズを検知する本発明の原稿検知部、及び原稿サイズ検知手段が原稿サイズを正しく検知していないことを推定する本発明の原稿検知状態推定部は、制御部１０の制御によって実施される。制御部１０により実施される。また、本発明の画像読取部はスキャナ部２が該当し、出力部は画像処理部３から画像データを出力する画像データバス１２が該当する。
【００３１】
本発明に係る画像形成装置は、上記画像処理装置を備えるもので、画像処理装置の出力部から出力された画像データを記録紙等の媒体に画像形成する機能を有するものである。画像形成装置としては、コピー、プリンタ、ｆａｘ等の複数の機能を備えた複合機（ＭＦＰ（Multifunction Peripheral））として構成することができる。もしくはコピー機能を有する単体のデジタル複写機や、ファクシミリデータの送受信が可能なファクシミリ装置として構成することもできる。これらの画像形成機能については、公知の技術を適宜適用したものとすることができる。
【００３２】
図２は、本発明に係る画像処理装置の自動原稿送り装置と原稿載置台について説明する図で、画像処理装置を備えた複合機を例にしてその構成を示すものである。図２（Ａ）は、画像処理装置を備えた複合機の上部外観図、図２（Ｂ）は自動原稿送り装置の内部構成を示す図、図２（Ｃ）は、画像処理装置のカバーを開けた状態を示す図である。
【００３３】
複合機３００は、その上部に本発明に係る実施形態の画像処理装置１００を備えている。まず図２（Ａ）に示すように、画像処理装置１００は、本体部に対して開閉自在に取り付けられたカバー１０１が設けられる。カバー１０１には、原稿を自動的に原稿載置台１０８に送る自動原稿送り装置１１０が備えられている。原稿自動送り装置１１０は、原稿をセットする原稿セット台１０９が設けられる。原稿セット台１０９には、上向きに読み取るべき画像を上向きに向けた状態で原稿をセットする。
【００３４】
原稿セット台１０９には、原稿のサイズを正しく読み取るための原稿ガイド１０２が設けられる。ユーザは、原稿ガイド１０２を原稿のサイズに合わせてセットすることで、画像処理装置では、原稿ガイド１０２のセット位置に応じて主走査方向（幅方向）の原稿サイズを判定することができる。この原稿ガイド１０２には、原稿幅を検出するためにボリューム抵抗が接続され、原稿幅に応じてユーザが原稿ガイド１０２を移動させると、ボリューム抵抗の抵抗値が変化する。そしてこの抵抗値の変化をアナログ電圧からデジタル変換することにより、主走査方向の原稿幅を検出することができる。
【００３５】
また、原稿セット台１０９には、副走査方向（原稿の送り方向）の原稿サイズを判定するための複数のセンサ１０３が設けられる。センサ１０３はアクチエータとして構成され、アクチュエータが原稿により下方に押圧されると、透過型フォトダイオードにより原稿が有ることが検出される。また、図示しない原稿検知ボリュームが搬送方向の前側（排紙側）に設けられていて、原稿セット台１０９上の原稿の有無を検知する。センサ１０３を２つ設けることで、原稿の状態を３段階で検出することができる。
このように、自動原稿送り装置１１０を使用する場合、原稿のサイズは、原稿ガイド１０２の設定位置、およびセンサ１０３による検知結果に応じて判断される。
【００３６】
原稿セット台１０９にセットされた原稿は、原稿給紙ローラ１０５（図２（Ｂ）により順に搬送され、原稿載置台（プラテンガラス）１０８（図２（Ｃ））上の所定位置に載せられる。原稿載置台１０８の原稿は、原稿走査部１０６によってレーザ光が走査され、ＣＣＤまで導かれて画像データが読み取られる。画像データが読み取られた原稿は、原稿排出部１１７に排出される。
【００３７】
また、厚手の原稿や、ブック形状のブック原稿など、自動原稿送り装置１１０を使用できない原稿を読み取る場合には、ユーザは、自動原稿送り装置１１０を使用することなく、カバー１０１を開けて原稿載置台１０８の上に直接に原稿を載置する。
図２（Ｃ）に示すように、原稿載置台１０８の奥側には、原稿サイズを検知するための原稿サイズ検知板１０７が設けられる。原稿サイズ検知板１０７には、検知すべき原稿サイズに応じて複数のセンサが所定位置に設けられている。センサは、ＬＥＤ等の発光センサによって構成され、それらの発光センサの対向位置（原稿載置台１０８の手前側）に設けられた受光センサにより、各センサ位置における原稿の有無が検出される。そして各センサの検出結果に応じて、原稿載置台１０８に置かれた原稿のサイズが判定される。
【００３８】
図３は、画像処理装置に対する操作入力を行うための操作パネルの構成例を示す図である。操作パネル１１０は、例えば、本実施形態に係る画像処理装置を備えた複合機３００の操作パネルとして構成されるもので、画像処理装置の操作とともに、複合機全体の操作を可能とするものである。
タッチパネル１１１は、液晶画面にメッセージやキーを表示するもので、表示されているキーをタッチすることにより種々の操作を行うことができる。クリアキー１１２は、印刷の部数などを設定した後、その数値をクリアして“０”に戻すとき等に操作する。リセットキー１１３は、操作を最初からやり直すときに操作する。操作途中の各種設定の解除や、操作を初期状態から開始するときに使用する。
【００３９】
ストップキー１１４は、印刷を中止するときや原稿の読み込みを中止するときに使用する。また、カラースタートキー１１５は、カラーコピーを行う場合、あるいは原稿をカラーで読み込むときに使用する。複合機でファクシミリやインターネットＦａｘ機能を使用する場合、このキーは使用できない。また、白黒スタートキー１１６は、原稿画像を白黒で読み込むときに使用する。また、複合機でファクシミリやインターネットＦａｘ機能を用いて画像データを送信する場合に使用する。
【００４０】
図４は、自動原稿送り装置に原稿をセットした状態、および原稿載置台に載置した原稿の状態を示す図である。
図４（Ａ）に示すように、自動原稿送り装置１１０に原稿Ｄをセットする場合、２つの原稿ガイド１０２を原稿の幅に合わせてスライドさせてセットし、原稿ガイド１０２の間に原稿Ｄを載置する。自動原稿送り装置１１０は、原稿Ｄを上から一枚ずつ搬送し、原稿画像が読み取られた後、原稿出紙部１１７に排出する。
【００４１】
またカバー１０１を開けて原稿載置台１０８に原稿を載置する場合、原稿載置台１０８の左上角の所定位置を基準として、原稿Ｄの矩形の角部を基準位置に合わせ、原稿載置台１０８の上に載置する。そしてカバー１０１を閉めて、原稿の読み取り動作を開始する。
【００４２】
図５は、本発明に係る画像処理装置における操作画面の一例を示す図で、原稿載置台１０８に原稿を載置したときの操作画面の表示状態を示すものである。
操作画面４００には、原稿キー４０１，用紙キー４０２が表示されている。例えば、ユーザが画像処理装置のカバー１０１を開けて、原稿載置台４０８に原稿Ｄを載置した場合、操作画面４００の原稿キー４０１には、原稿サイズ検知板１０７に備えられたセンサによって検知された原稿Ｄのサイズが表示される。この例では、原稿サイズが“自動”で検出されていること、及び検出された原稿サイズが“Ａ４”であることが表示されている。そして用紙キー４０２には、Ａ４の普通紙が選択されていることが表示される。
【００４３】
図６は、本発明に係る画像処理装置における操作画面の他の例を示す図で、自動原稿送り装置１１０の原稿セット台１０９に原稿をセットしたときの操作画面の表示状態を示すものである。原稿セット台１０９に原稿をセットした場合、自動原稿送り装置１１０の原稿ガイド１０２の設定位置、および原稿の長さ方向（原稿の送り方向）のサイズを判定するためのセンサ１０３の検出結果に応じて、原稿サイズが判定され表示される。この例では、原稿サイズが“自動”で検出されていること、及び検出された原稿サイズが“Ａ４”であることが表示されている。そして用紙キー４０２には、Ａ４の普通紙が選択されていることが表示される。またこの場合には、自動原稿送り装置が使用されていることを示すマーク４０３が表示される。
【００４４】
図７は、原稿サイズを判定するためのテーブルの設定例を示す図で、画像処理装置の原稿サイズの判断がＩＮＣＨ系に設定されているときに使用するテーブルを示すものである。
上記のように画像処理装置１００では、原稿サイズ検知板１０７に設けられた複数のセンサの検知結果に応じて原稿サイズが判定される。この例では、ＰＤ１〜ＰＤ７の７つのセンサを設け各センサによる原稿の有無の検出結果から、原稿載置台１０８に置かれた原稿のサイズを判定する。
【００４５】
図７に示すように、ＩＮＣＨ系のテーブルでは、ＰＤ１〜ＰＤ７の検出結果（ＯｎまたはＯｆｆ）に応じて、ＩＮＣＨ系の原稿サイズが判定できるようになっている。ここで、テーブルには複数の仕向地が設定され、画像処理装置を使用する国や地域によっていずれかの仕向地が使用されるにように設定される。
【００４６】
図８は、図７のテーブルで判定される原稿サイズを説明する図である。
センサが全てＯｆｆの場合（図７のＮｏ.１）の場合には、原稿載置台１０８には原稿はないものと判定される。センサＰＤ１のみがＯｎの場合（図７のＮｏ.２）では原稿サイズは８.５×５.５インチ（Ｉｎｖｏｉｃｅサイズ）である。また、センサＰＤ１〜ＰＤ２がＯｎの場合（図７のＮｏ.３）、およびセンサＰＤ１〜ＰＤ３がＯｎの場合（図７のＮｏ.４）、には、原稿サイズは８.５×１１インチ（Ｌｅｔｔｅｒサイズ）である。
【００４７】
また、センサＰＤ１〜ＰＤ４がＯｎの場合（図７のＮｏ.５）、及びセンサＰＤ１〜ＰＤ５がＯｎの場合（図７のＮｏ.６）、原稿サイズは８.５×１１Ｒインチ（８.５×１１インチの横置き）である。センサＰＤ１〜ＰＤ６がＯｎの場合（図７のＮｏ.７）、原稿サイズは仕向地によって若干異なり、仕向地Ｉｎｃｈ１〜Ｉｎｃｈ３それぞれ８.５×１４インチ（Ｌｅｇａｌ−Ｒサイズ）、８.５×１３インチ（Ｆｏｏｌｓｃａｐｅ−Ｒサイズ）、８.５×１３.４インチ（Ｍｅｘｉｃａｎ−Ｌｅｇａｌ−Ｒサイズ）である。また、全てのセンサＰＤ１〜ＰＤ７がＯｎの場合（図７のＮｏ.８）、原稿サイズは１１×１７インチ（ＭＬＴサイズ）である。
このように、ＩＮＣＨ系の設定においては、各センサの検出結果に応じて、ＩＮＣＨ系の所定サイズの原稿サイズを判定することができる。また、画像処理装置を使用する仕向地ごとに原稿サイズをそれぞれ設定することができる。
【００４８】
図９は、原稿サイズを判定するためのテーブルの他の設定例を示す図で、画像処理装置の原稿サイズの判断がＡＢ系に設定されているときに使用するテーブルを示すものである。
ＡＢ系のテーブルにおいても、センサＰＤ１〜ＰＤ７の検出結果（ＯｎまたはＯｆｆ）に応じて、ＡＢ系の原稿サイズが判定できるようになっている。ここで、テーブルには複数の仕向地が設定され、画像処理装置１００を使用する国や地域によっていずれかの仕向地が使用されるにように設定される。
【００４９】
図１０は、図９のテーブルで判定される原稿サイズを説明する図である。
センサが全てＯｆｆの場合（図９のＮｏ.１）の場合には、原稿載置台１０８には原稿はないものと判定される。センサＰＤ１のみがＯｎの場合（図９のＮｏ.２）では原稿サイズはＡ５である。また、センサＰＤ１〜ＰＤ２がＯｎの場合（図９のＮｏ.３）には、原稿サイズはＢ５であるが、仕向地ＡＢ３では、原稿サイズは１６Ｋ（１９５×２７０ｍｍ）である。センサＰＤ１〜ＰＤ３がＯｎの場合（図９のＮｏ.４）には、原稿サイズはＡ４である。
【００５０】
また、センサＰＤ１〜ＰＤ４がＯｎの場合（図９のＮｏ.５）、原稿サイズはＢ５Ｒであるが、仕向地ＡＢ３では、原稿サイズは１６Ｋ−Ｒ（１６Ｋの横置き）である。
また、センサＰＤ１〜ＰＤ５がＯｎの場合（図９のＮｏ.６）には、原稿サイズはＡ４Ｒ（Ａ４の横置き）である。センサＰＤ１〜ＰＤ６がＯｎの場合（図９のＮｏ.７）には、原稿サイズは仕向地によって若干異なり、仕向地ＡＢ１〜ＡＢ３それぞれＢ４、８.５×１３インチ（Ｆｏｏｌｓｃａｐｅ−Ｒサイズ）、８.５×１３.４インチ（Ｌｅｇａｌ−Ｒサイズ）、８.５×１３.５インチ、Ｂ４である。この系では、ＡＢ系設定であっても仕向地によってＩＮＣＨ系の一部を混在させることができる。
また、全てのセンサＰＤ１〜ＰＤ７がＯｎの場合（図９のＮｏ.８）、原稿サイズはＡ３であるが、仕向地ＡＢ３では、８Ｋ（２７０×３９０ｍｍ）である。
このように、ＡＢ系の設定においては、各センサの検出結果に応じて、ＡＢ系の所定サイズの原稿サイズを判定することができる。また、画像処理装置１００を使用する仕向地ごとに原稿サイズをそれぞれ設定することができる。
【００５１】
図１１は、原稿サイズを判定するためのテーブルの更に他の設定例を示す図で、画像処理装置がＩＮＣＨ系に設定されているときに、自動原稿送り装置１１０にセットされた原稿のサイズ判定に使用するテーブルを示すものである。
上記のように、自動原稿送り装置１１０の原稿セット台１０９には、原稿ガイド１０２と、複数のセンサ１０３とが設けられ、これら原稿ガイド１０２の設定位置、およびセンサ１０３による検知結果に応じて原稿のサイズを判定する。
【００５２】
ここでは、図１１に示すように、２つのセンサ１０３をそれぞれＳＰＬＳ１，ＳＰＬＳ２として各センサによる原稿の有無（ＯＮ，ＯＦＦ）を検出し、原稿ガイド１０２の幅によって原稿幅を検出し、これらの組み合わせによって原稿セット台１０９の原稿のサイズを判定する。
例えば、図１１のＩＮＣＨ系設定においては、各センサ（ＳＰＬＳ１，２）の検出がＯＦＦの場合、原稿幅が２８８ｍｍより小さければ原稿サイズはＡ４であり、原稿幅が２８７.９−２４７の間にあれば原稿サイズは８.５×１１インチであり、原稿幅が２４６.９より大ければ原稿サイズは５.５×８.５インチとなる。
【００５３】
同様に、センサ（ＳＰＬＳ１，２）の検出がそれぞれＯＮ，ＯＦＦの場合、原稿幅が２８８ｍｍより小さければ原稿サイズはＡ３であり、原稿幅が２８７.９−２４７の間にあれば原稿サイズは１１×１７インチであり、原稿幅が２４６.９より大ければ原稿サイズは８.５×１１Ｒインチ（８.５×１１の横置き）となる。
同様に、センサ（ＳＰＬＳ１，２）の検出が両方ＯＮの場合、原稿幅が２８８ｍｍより小さければ原稿サイズはＡ３であり、原稿幅が２８７.９−２４７の間にあれば原稿サイズは１１×１７インチであり、原稿幅が２４６.９より大きければ原稿サイズは８.５×１４または８.５×１３インチとなる。
【００５４】
図１２は、原稿サイズを判定するためのテーブルの更に他の設定例を示す図で、画像処理装置がＡＢ系に設定されているときに、自動原稿送り装置にセットされた原稿のサイズ判定に使用するテーブルを示すものである。
例えば、図１２のＡＢ系設定においては、各センサ（ＳＰＬＳ１，２）の検出がＯＦＦの場合、原稿幅が２８８ｍｍ以上であれば原稿サイズはＡ４であり、原稿幅が２８７.９−２６８ｍｍの間にあれば原稿サイズは８.５×１１インチであり、原稿幅が２６７.９−２３８ｍｍの間にあれば原稿サイズはＢ５であり、原稿幅が２３５.９−１９６ｍｍの間にあれば原稿サイズはＡ５であり、原稿サイズが１９５.９より小さければ原稿サイズはＢ５Ｒ（Ｂ５の横置き）となる。
【００５５】
同様に、センサ（ＳＰＬＳ１，２）の検出がそれぞれＯＮ，ＯＦＦである場合、原稿幅が２８８ｍｍ以上であれば原稿サイズはＡ３であり、原稿幅が２８７.９−２６８ｍｍの間にあれば原稿サイズは１１×１７インチであり、原稿幅が２６７.９−２３６ｍｍの間にあれば原稿サイズはＢ４であり、原稿幅が２３５.９−１９６ｍｍの間にあれば原稿サイズはＡ４Ｒ（Ａ４の横置き）であり、原稿サイズが１９５.９より小さければ原稿サイズはＢ５Ｒ（Ｂ５の横置き）となる。
【００５６】
同様に、センサ（ＳＰＬＳ１，２）の検出が両方ＯＮである場合、原稿幅が２８８ｍｍ以上であれば原稿サイズはＡ３であり、原稿幅が２８７.９−２６８ｍｍの間にあれば原稿サイズは１１×１７インチであり、原稿幅が２６７.９−２３６ｍｍの間にあれば原稿サイズはＢ４であり、原稿幅が２３５.９−１９６ｍｍの間にある場合、及び原稿サイズが１９５.９より小さい場合には、原稿サイズは８.５×１４インチまたは８.５×１３インチである。
【００５７】
ＡＢ系では、ＡＢ系の原稿とともにＩＮＣＨ系の原稿を混在させて設定することができる。また上記のテーブルを仕向地ごとに備えるようにすることができる。
なお、上述の各テーブルはその設定の一例を示すものであり、テーブルについては適宜設定することができる。
【００５８】
上述したように、従来の技術においては、ＩＮＣＨ系とＡＢ系が正しく設定されていなければ、読み取った原稿のサイズを正しく検出することができず、画像形成（印刷）を行ってもユーザ所望の印刷を行うことができない場合がある。また、不定形サイズの原稿の場合、原稿サイズを正しく検出することができないと画像形成（印刷）を行ってもユーザ所望の印刷を行うことができない、という問題があった。
【００５９】
これに対して、本発明に係る実施形態では、原稿検出の設定が間違っていたり、不定原稿を読み取ったりする際に、原稿サイズが正しく検知されていないことを推定し、ユーザに適確なサイズ設定を促すような表示を行うことで、無駄のない効率的な画像読取処理を実行できるようにする。
例えば、画像処理装置１００にＩＮＣＨ系が設定されているときに、ユーザがＡＢ系のＡ４サイズの原稿を読み取ろうとすると、装置は８.５×１１インチの原稿サイズであると判定し、表示部１ａに判定結果のサイズを表示する。
【００６０】
このような場合、ユーザは、原稿サイズが正しく判定されていないため、例えば、カバー１０１の開閉を行ったり、原稿セット台１０９や原稿載置台１０８に原稿を置き直したり、あるいは自動原稿送り装置の原稿ガイド１０２を再設定したりする操作を行い、そしてこれらを何度も繰り返す。画像処理装置１００では、このようなユーザの操作状態を検知し、原稿サイズの設定画面を表示部１ａに表示させ、ユーザに対して正しい設定を行うよう促す。このようなユーザ操作は、原稿サイズを正しく検知していなことを推定する予め定められた操作である。
【００６１】
図１３は、画像処理装置に原稿をセットしたときに、異なる原稿サイズの検知結果が表示されたときの動作の一例を説明する図である。
図１３の例では、原稿載置台１０８に原稿をセットしたときに、画像処理装置１００が正しく原稿サイズを検知しなかった場合、ユーザは、カバー１０１を開けて原稿載置台１０８上の原稿Ｄを置き直す操作を行う。このとき、画像処理装置１００では、カバー１０１が開けられたままでスキャン（画像読み取り動作）が行われるまでに、所定の時間内で検出原稿サイズの変化が所定回数発生した場合に、原稿サイズが正しく検知されていないものと推定し、表示部１ａに対して原稿サイズの設定画面を表示させる。例えば、１０秒間の間に検出した原稿サイズの変化が５回以上あった場合に、原稿サイズの設定画面を表示させる。
【００６２】
図１４は、画像処理装置に原稿をセットしたときに、異なる原稿サイズの検知結果が表示されたときの動作の他の例を説明する図である。
図１４の例では、原稿載置台１０８に原稿をセットしたときに、画像処理装置が正しく原稿サイズを検知しなかった場合、ユーザは、カバー１０１を開けて原稿を確認する動作を複数回繰り返す。画像処理装置では、このようなカバー１０１の繰り返し開閉を検知し、所定の時間内でカバーの開閉が所定回数発生した場合に、原稿サイズが正しく検知されていないものと推定し、表示部１ａに対して原稿サイズの設定画面を表示させる。例えば、１０秒間の間にカバー１０１の開閉操作が５回以上あった場合に、原稿サイズの設定画面を表示させる。
【００６３】
図１５は、画像処理装置に原稿をセットしたときに、異なる原稿サイズの検知結果が表示されたときの動作の他の例を説明する図である。
図１５の例では、自動原稿送り装置１１０に原稿Ｄをセットしたときに、画像処理装置１００が正しく原稿サイズを検知しなかった場合、ユーザは、自動原稿送り装置１１０の原稿ガイド１０２の位置調整を行う。画像処理装置１００では、このような原稿ガイド１０２の調整操作を検知し、所定の時間内で原稿ガイド１０２の調整が所定回数発生した場合に、原稿サイズが正しく検知されていないものと推定し、表示部１ａに対して原稿サイズの設定画面を表示させる。例えば、１０秒間の間に原稿ガイド１０２の調整操作が５回以上あった場合に、原稿サイズの設定画面を表示させる。
【００６４】
図１６は、画像処理装置に原稿をセットしたときに、異なる原稿サイズの検知結果が表示されたときの動作の他の例を説明する図である。
図１６の例では、自動原稿送り装置１１０に原稿Ｄをセットしたときに、画像処理装置１００が正しく原稿サイズを検知しなかった場合、ユーザは、自動原稿送り装置１１０の原稿セット台１０９に対する原稿Ｄの抜き差しを繰り返し行う。画像処理装置１００では、このような原稿セット台１０９に対する原稿Ｄの抜き差しの操作を検知し、所定の時間内で原稿の抜き差しが所定回数発生した場合に、原稿サイズが正しく検知されていないものと推定し、表示部１ａに対して原稿サイズの設定画面を表示させる。例えば、１０秒間の間に原稿セット台１０９に対する原稿の抜き差し操作が３回以上あった場合に、原稿サイズの設定画面を表示させる。
【００６５】
上記の各例のように、画像処理装置では、正しく原稿サイズを検知しなかった場合に行われるユーザ操作を予め規定し、その操作が所定の条件（例えば所定時間内に所定回数）で実行された場合に、設定誤りにより正しく原稿サイズが検知できていないものと推定し、表示部１ａに対して原稿サイズの設定画面を表示させる。これにより、ユーザが正しく原稿サイズの設定を行うことで、原稿のサイズを正しく判定することができるようになり、その判定結果に基づいて記録紙に画像データを印刷する場合にも、トナーや記録紙を無駄にすることなく効率よく印刷を行うことができるようになる。
【００６６】
図１７は、不定形サイズの原稿で検出結果に変動（ふらつき）を生じる場合の動作を説明する図で、原稿載置台１０８に不定形サイズの原稿をセットしたときに、画像処理装置の原稿サイズの検知結果が変動する場合を示している。
図１９の例では、原稿サイズ検知板１０７に複数（この例では７つの）センサ（ＰＤ１〜ＰＤ７）が設けられた構成において、ＰＤ３の検知位置に原稿端が一致するような不定形の原稿Ｄが原稿載置台１０８に載置された状態を示している。このような不定形原稿の場合、センサＰＤ３の検出結果がＯＮとＯＦＦで変動し、従って原稿サイズの検知結果も変動して安定しなくなる。
このような場合、画像処理装置１００では、原稿サイズの検知結果の変動を検出し、原稿サイズが正しく検知されていないものと推定し、原稿サイズの設定画面を表示させる。
【００６７】
図１８は、不定形サイズの原稿で検出結果に変動を生じる場合の他の動作を説明する図で、原稿載置台１０８に不定形サイズの原稿をセットしたときに、画像処理装置の原稿サイズの検知結果が変動する場合の他の例を示している。
図１８の例では、原稿サイズ検知板１０７に複数（この例では７つの）センサ（ＰＤ１〜ＰＤ７）が設けられた構成において、原稿載置台１０８に対するユーザによる原稿Ｄの載置位置が一定ではない場合を示している。例えば、ＩＮＣＨ系設定における定形サイズである８.５×５.５インチ（Ｉｎｖｏｉｃｅサイズ）の原稿であるにもかかわらず、ユーザによる原稿載置台１０８への原稿の載置位置が右方向にずれて、原稿端が例えばセンサＰＤ３の検知位置に重なった状態となることがある。この場合、センサＰＤ３の検出結果がＯＮとＯＦＦでふらついて変動し、従って原稿サイズの検知結果も変動して安定しなくなる。
【００６８】
このような場合、画像処理装置では、このような原稿サイズの検知結果の変動を検知し、所定の時間内で検知結果の変動が所定回数発生した場合に、原稿サイズが正しく検知されていないものと推定し、表示部１ａに対して原稿サイズの設定画面を表示させる。例えば、１０秒間の間に検知結果の変動が５回以上あった場合に、原稿サイズの設定画面を表示させる。
【００６９】
図１９は、原稿のカールや折れにより原稿サイズの検出結果に変動が生じる場合の動作を説明する図で、原稿載置台１０８にカールしたり折れ曲がったりした原稿をセットしたときに、画像処理装置の原稿サイズの検知結果が変動する場合の例を示している。
図１９（Ａ）に示すように、原稿載置台１０８に載置した原稿Ｄが折れ曲がっていると、原稿サイズ検知板１０７に複数設けられたセンサ（ＰＤ１〜ＰＤ７）の検出結果がふらついて変動し、原稿サイズを正しく検知することができなくなる。
【００７０】
また、図１９（Ｂ）に示すように、原稿載置台１０８に載置した原稿Ｄがカールしていると、原稿サイズ検知板１０７に複数設けられたセンサ（ＰＤ１〜ＰＤ７）の検出結果がふらついて変動し、原稿サイズを正しく検知することができなくなる。
このような場合、画像処理装置では、このようなセンサの検出の変動を検知し、所定の時間内で検知結果の変動が所定回数発生した場合に、原稿サイズが正しく検知されていないものと推定し、表示部１ａに対して原稿サイズの設定画面を表示させる。例えば、１０秒間の間に検知結果の変動が５回以上あった場合に、原稿サイズの設定画面を表示させる。
【００７１】
図２０は、不定形サイズの原稿で検出結果にふらつきを生じる場合の動作を説明する図で、自動原稿送り装置１１０に不定形サイズの原稿をセットしたときに、画像処理装置の原稿サイズの検知結果が変動する場合を示している。
図２０の例では、自動原稿送り装置１１０の原稿ガイド１０２によって原稿Ｄの幅を検出し、その検出結果を用いて原稿サイズを検知する構成において、不定形原稿によって、原稿サイズの判定幅の境界位置に原稿Ｄの側端部がある場合、原稿幅の検出結果がふらついて変動し、従って原稿サイズの検知結果も変動して安定しなくなる。例えば、図１１に示す原稿幅で原稿サイズを検知している場合、不定形で２４７ｍｍ幅の原稿がセットされた場合、その原稿サイズの判定結果が変動することになる。
【００７２】
このような場合、画像処理装置１００では、このような原稿幅の検出の変動を検知し、所定の時間内で検知結果の変動が所定回数発生した場合に、原稿サイズが正しく検知されていないものと推定し、表示部１ａに対して原稿サイズの設定画面を表示させる。例えば、１０秒間の間に検知結果の変動が５回以上あった場合に、原稿サイズの設定画面を表示させる。
【００７３】
図２１は、不定形サイズの原稿で検出結果に変動を生じる場合の動作を説明する図で、自動原稿送り装置１１０に不定形サイズの原稿をセットしたときに、画像処理装置の原稿サイズの検知結果が変動する場合の他の例を示している。
図２１の例では、自動原稿送り装置１１０の原稿ガイド１０２によって原稿Ｄの幅を検出し、その検出結果を用いて原稿サイズを検知する構成において、原稿Ｄに対して原稿ガイド１０２が正しくセットされてなく、原稿サイズの判定幅の境界位置に原稿ガイド１０２の検出位置がある場合、原稿幅の検出結果がふらつき、従って原稿サイズの検知結果もふらついて変動する。例えば、図１１に示す原稿幅で原稿サイズを検知している場合、原稿ガイド１０２が原稿に合ってなく、例えば２４７ｍｍ幅で原稿ガイド１０２がセットされた場合、その原稿サイズの判定結果が変動することになる。
【００７４】
このような場合、画像処理装置では、このような原稿幅の検出の変動を検知し、所定の時間内で検知結果の変動が所定回数発生した場合に、原稿サイズが正しく検知されていないものと推定し、表示部１ａに対して原稿サイズの設定画面を表示させる。例えば、１０秒間の間に検知結果の変動が５回以上あった場合に、原稿サイズの設定画面を表示させる。
【００７５】
図２２は、原稿のカールや折れにより原稿サイズの検出結果に変動が生じる場合の動作を説明する図で、自動原稿送り装置１１０の原稿セット台１０９に、カールしたり折れ曲がったりした原稿をセットしたときに、画像処理装置の原稿サイズの検知結果が変動する場合の例を示している。
図２２（Ａ）に示すように、自動原稿送り装置１１０の原稿セット台１０９にセットした原稿Ｄが折れ曲がっていると、原稿セット台１０９に設けられたセンサ１０３の検出結果がふらついて変動し、原稿サイズを正しく検知することができなくなる。
【００７６】
また、図２２（Ｂ）に示すように、自動原稿送り装置１１０の原稿セット台１０９にセットした原稿Ｄがカールしていると、原稿セット台１０９に設けられたセンサ１０３の検出結果がふらついて変動し、原稿サイズを正しく検知することができなくなる。
このような場合、画像処理装置１００では、このようなセンサ１０３の検出の変動を検知し、所定の時間内で検知結果のふらつきが所定回数発生した場合に、原稿サイズが正しく検知されていないものと推定し、表示部１ａに対して原稿サイズの設定画面を表示させる。例えば、１０秒間の間に検知結果の変動が５回以上あった場合に、原稿サイズの設定画面を表示させる。
【００７７】
図２３は、原稿サイズの検知結果が間違っている場合に所定のユーザ操作が実行されたとき、もしくは原稿サイズの検出結果が所定条件で変動したときに表示する原稿サイズ設定画面の一例を示す図である。
上記の原稿サイズの検出結果の変動が生じたとき、操作画面４００には、原稿サイズの設定画面５００が表示される。この設定画面５００により、ユーザは手動キー５０１を選択し、“Ａ５”や“Ｂ５Ｒ”等の使用する原稿サイズキー５０２を直接に入力して指定することができる。これにより、原稿サイズを自動検知することなく正しく原稿サイズを設定することができる。また、原稿サイズの設定画面５００では、ＡＢキー５０３とＩＮＣＨキー５０４により、ＩＮＣＨ系の設定とＡＢ系の設定とを相互に変更することができ、ＩＮＣＨ系／ＡＢ系の設定が間違っていれば簡単に修正することができる。
【００７８】
また、図２３の原稿サイズの設定画面５００から、サイズ入力キー５０５を操作することにより、図２４のサイズ入力画面６００に移行させることができる。サイズ入力画面６００では、不定形サイズの原稿サイズを直接入力することができる。ここでは、原稿のＸ（横）方向のサイズ６０１と、Ｙ（縦）方向のサイズ６０２とをキー操作等により直接入力することができる。これにより不定形原稿で原稿サイズの検出結果がふらついて変動しても、入力サイズの原稿として処理することができる。
【００７９】
図２５は、画像処理装置の仕向地設定が、用紙トレイと原稿セット台／自動原稿送り装置とで異なる場合の仕向地設定変更画面例を示す図である。
上記の原稿サイズの設定画面５００に加えて、本実施形態では、画像処理装置の仕向地の設定（例えば、ＩＮＣＨ系の仕向地設定である“ＩＮＣＨ−１”〜“ＩＮＣＨ３”、ＡＢ系の仕向地設定である“ＡＢ−１”〜“ＡＢ−５”があるが、用紙トレイに設定されている仕向地設定と、原稿セット台および自動原稿送り装置に設定されている仕向け地設定が異なっている場合に、図２５のような仕向地設定画面３００を表示させ、ユーザに仕向地を設定させることができる。
【００８０】
図２６は、画像処理装置で検知した原稿サイズが用紙トレイに存在しない場合の画面例を示す図である。原稿載置台１０８や、自動原稿送り装置１１０の原稿セット台１０９で検出された原稿サイズが、いずれの用紙トレイにも存在しない場合にその旨を表示させることができる。例えば図２６に示す操作画面４００では、自動検出された原稿のサイズがレターサイズである場合、原稿キー４０１には“ＬＴ”と表示される。また、トレイ表示部４０４には、レターサイズのトレイはない。この場合、図２３の原稿サイズの設定画面５００に移行し、用紙トレイにある用紙サイズから原稿サイズを選択して設定することができる。
【符号の説明】
【００８１】
１…操作パネル部、１ａ…表示部、１ｂ…操作部、２…スキャナ部、２ａ…ＣＣＤ、３…画像処理部、４…記憶部、５…光学センサ部、６…ドライバ、７…駆動モータ、８…ドライバ、９…駆動モータ、１０…制御部、１０ａ…ＣＰＵ、１０ｂ…ＲＯＭ、１０ｃ…ＲＡＭ、１２…画像データバス、１００…画像処理装置、１０１…カバー、１０２…原稿ガイド、１０３…センサ、１０５…原稿給紙ローラ、１０６…原稿走査部、１０７…原稿サイズ検知板、１０８…原稿載置台、１０９…原稿セット台、１１０…画像処理装置、１１１…タッチパネル、１１２…クリアキー、１１３…リセットキー、１１４…ストップキー、１１５…カラースタートキー、１１６…白黒スタートキー、１１７…原稿出紙部、２００…外部機器、３００…複合機、４００…操作画面、４０１…原稿キー、４０２…用紙キー、４０３…マーク、４０４…トレイ表示部、４０８…原稿載置台、５００…設定画面、５０１…手動キー、５０２…原稿サイズキー、５０３…ＡＢキー、５０４…ＩＮＣＨキー、５０５…サイズ入力キー、６００…サイズ入力画面。
【図１】
2012222764.tif 000003
【図２】
2012222764.tif 000004
【図３】
2012222764.tif 000005
【図４】
2012222764.tif 000006
【図５】
2012222764.tif 000007
【図６】
2012222764.tif 000008
【図７】
2012222764.tif 000009
【図８】
2012222764.tif 000010
【図９】
2012222764.tif 000011
【図１０】
2012222764.tif 000012
【図１１】
2012222764.tif 000013
【図１２】
2012222764.tif 000014
【図１３】
2012222764.tif 000015
【図１４】
2012222764.tif 000016
【図１５】
2012222764.tif 000017
【図１６】
2012222764.tif 000018
【図１７】
2012222764.tif 000019
【図１８】
2012222764.tif 000020
【図１９】
2012222764.tif 000021
【図２０】
2012222764.tif 000022
【図２１】
2012222764.tif 000023
【図２２】
2012222764.tif 000024
【図２３】
2012222764.tif 000025
【図２４】
2012222764.tif 000026
【図２５】
2012222764.tif 000027
【図２６】
2012222764.tif 000028
【図２７】
2012222764.tif 000029
【図２８】
2012222764.tif 000030